(57)【要約】      （修正有）【課題】外観を損ねることなく、塗布が簡単な化粧用アプリケータ装置を提供すること。【解決手段】ネジ付ネック１０を具備した容器と、アプリケータ３とを備え、アプリケータが、ステム４と、ステムの第一端部に配置された塗布要素５と、第一端部とは逆の第二端部で、ステムを支持する閉鎖キャップ６とを具備し、前記閉鎖キャップが、ネックにねじ入れるために構成されたネジ部分７を具備し、閉鎖キャップが、ネジ部分に着脱可能に接続され、且つアプリケータを取り外している間、ネックにねじ入れて保持できるように構成された、リング８を具備する。【選択図】図３
2004237111.tif 000002
【特許請求の範囲】
【請求項１】
ネジ付ネック（１０）を具備した容器と、
アプリケータとを備え、アプリケータが、ステム（４）と、ステムの第一端部に配置された塗布要素（５）と、第一端部とは逆の第二端部で、ステムを支持する閉鎖キャップ（６）とを具備し、前記閉鎖キャップが、ネックにねじ入れるために構成されたネジ部分（７）を具備した、装置において、
閉鎖キャップがネジ部分（７）に着脱可能に接続され、且つアプリケータを取り外している間、ネックにねじ入れて保持できるように構成された、リング（８）を具備し得ることを特徴とする装置。
【請求項２】
ネジ部分（７）が、インサート（４０）と外部キャップ（４１）とを備えることを特徴とする請求項１に記載の装置。
【請求項３】
リング（８）と外部キャップ（４１）が、プラスチック材料によって一体型に作られ、リングと外部キャップが、少なくとも一つの破壊可能なブリッジ材料（１３）によって、互いに接続されることを特徴とする請求項２に記載の装置。
【請求項４】
リング（８）が、少なくとも一つの第一突出部分（１５）を持ち、第一突出部分は、リングをネックに作られた少なくとも一つの第二突出部分（１８）に、スナップ固定できることを特徴とする請求項１〜３のいずれか一行に記載の装置。
【請求項５】
第二突出部分（１８）が、環状ビーズを備え、第一突出部分（１５）が、リング（８）の放射状内表面（１６）から突起した歯、または環状ビーズを備えることを特徴とする請求項４に記載の装置。
【請求項６】
リング（８）が、プラスチック材料を成形することによって、少なくとも部分的にネジ部分（７）と共に作られることを特徴とする請求項１〜５のいずれか一項に記載の装置。
【請求項７】
リング（８）が、破壊可能なブリッジ材料（１３）によって、ネジ部分（７）に接続されることを特徴とする請求項６に記載の装置。
【請求項８】
リングが、ネジ部分に取り付けられることを特徴とする請求項１または２に記載の装置。
【請求項９】
リングが、ネジ部分（７）と互いに嵌まり合って、共働するために構成された突出部分（３３）を設けることを特徴とする請求項８に記載の装置。
【請求項１０】
ネックが、少なくとも一つの第一回転防止突出部分（２１）を備え、リングが少なくとも一つの第二回転防止突出部分（２０）を備え、第二回転防止突出部分が、第一突出部分と共働するように構成されて、ネジ部分（７）をリング（８）から分離するため、閉鎖キャップをねじって外す間は、リングがネックに対して回らないようになっていることを特徴とする請求項１〜９のいずれか一項に記載の装置。
【請求項１１】
第一回転防止突出部分（２１）は、容器に閉鎖キャップを最初にネジ入れて固定する際に、第二回転防止突出部分（２０）が第一回転防止突出部分を越えることができるように、構成されることを特徴とする請求項１０に記載の装置。
【請求項１２】
第一突出部分と第二突出部分の少なくとも一つが、それらが互いに越えるのを容易にするための傾斜路（２３；２４）を備えることを特徴とする請求項１１に記載の装置。
【請求項１３】
ネックが基部を備え、基部に円筒形の表面を備えることを特徴とする請求項１〜１２のいずれか一項に記載の装置。
【請求項１４】
ネックが基部に切頭円錐形の表面（３２）を備え、表面が容器の本体に向かって広がることを特徴とする請求項１〜１２のいずれか一項に記載の装置。
【請求項１５】
容器が、ネックの基部に肩部を具備して作られることを特徴とする請求項１〜１４のいずれか一項に記載の装置。
【請求項１６】
容器が、リングと接触して、それの動きを止める表面を具備して作られることを特徴とする請求項１〜１５のいずれか一項に記載の装置。
【請求項１７】
リングが、複数のスプライン（５０）を有した内表面を備えることを特徴とする請求項１〜１６のいずれか一項に記載の装置。
【請求項１８】
容器が、ガラスから作られることを特徴とする請求項１〜１７のいずれか一項に記載の装置。
【請求項１９】
容器が、プラスチック材料から作られることを特徴とする請求項１〜１３のいずれか一項に記載の装置。
【請求項２０】
容器の容量が、約10mlであるか、それよりも少ないことを特徴とする請求項１〜１９のいずれか一項に記載の装置。
【請求項２１】
容器の容量が、8mlであるか、それよりも少ないことを特徴とする請求項２０に記載の装置。
【請求項２２】
容器の容量が、約5ml〜約7mlの反にであるであることを特徴とする請求項２１に記載の装置。
【請求項２３】
アプリケータを容器から引き出して、その軸線方向に対し垂直方向に見た時、ステム（４）が見えることを特徴とする請求項１〜２２のいずれか一項に記載の装置。
【請求項２４】
ステムと塗布要素を足した見える長さ（ｌ＋ｌ´）が、約25mmであるか、それよりも大きいことを特徴とする請求項２３に記載の装置。
【請求項２５】
塗布要素がブラシであること、ブラシの複数の剛毛の自由部分の見える長さが、約12mmであるか、それよりも大きいことを特徴とする装置。
【請求項２６】
容器が、爪に塗る物質を収容することを特徴とする請求項１〜２５のいずれか一項に記載の装置。
【請求項２７】
ステムの長さが、ネックの高さの30％以内であることを特徴とする請求項１〜２６のいずれか一項に記載の装置。
【請求項２８】
塗布要素の長さが、容器本体の高さの30％以内であることを特徴とする請求項１〜２７のいずれか一項に記載の装置。
【請求項２９】
パッケージング及びアプリケータ装置を製造する方法において、その方法が、
ネジ付ネックを有した容器（２）に、アプリケータ（３）をねじ入れることを含んでおり、
アプリケータが、
ステムと、
ステムの第一端部に配置された塗布要素（５）と、
ステム（４）を第一端部とは逆側の第二端部で留める閉鎖キャップ（６）と、を備え、前記閉鎖キャップがネックにねじ入れるようの構成されたネジ部分（７）を設けており、閉鎖キャップが基部と、その基部に、ネジ部分（７）に着脱可能に接続されたリング（８）とを具備し、ナックとリングは、使用時にネジ部分を取り外した時、リングをネック上に保持するため、共働するように構成された形状を持つこと、を特徴とする方法。
【請求項３０】
パッケージング及びアプリケータ装置を製造する方法において、その方法が、
ネジ付ネック（１０）を具備したビンに、塗布要素を留めるネジ付インサート（４０）を、ねじ入れること、
外部キャップ（４１）をインサートに取り付けること、を含んでおり、外部キャップがリング（８）に着脱可能に接続され、インサートをねじって外す時、外部キャップとインサートは、互いにねじ入れたままで、ネックとリングは、インサートをねじって外した時、リングをネックに保持するように構成された形状を成していること、を特徴とする方法。
【発明の詳細な説明】
【技術分野】
【０００１】
本発明は、ケア製品を含む化粧品用のパッケージング及びアプリケータ装置、更に特別に限定しないが爪にマニキュアを塗るものに関連したものである。
【背景技術】
【０００２】
市場で見られる爪マニキュアの入れ物の容量は様々であり、通常は7ミリリットル（ml）から14mlの範囲である。関連するアプリケータは、一端にブラシを具備したステムと、ネジ部分を有する閉鎖キャップを備えている。
【０００３】
例えば12mlまたはそれ以上の比較的容量の大きな、容器に関して、容器本体の高さにより、比較的長いステムを使用することが可能である。それに比べて、少ない容量の容器に関して、容器本体の高さをより低く、ステムをより短くする必要があるか、または他に、ブラシの剛毛の長さをより短くする必要があり、それは塗布時に品質と柔軟性の損失を生じさせ、他にネックの長さを増やす必要があり、それは外観を損ねることになる。
【発明の開示】
【発明が解決しようとする課題】
【０００４】
塗布を簡単にするため望ましいのは、剛毛が比較的長いことと、見えるステムの長さがあまり短くないことである。
【課題を解決するための手段】
【０００５】
一実施形態において、本発明によるパッケージング及びアプリケータ装置は、
ネジ付ネックを具備した容器と、
ステムと、
アプリケータとを備え、アプリケータが、ステムの第一端部に配置された塗布要素、第一端部とは逆の第二端部で、ステムを支持する閉鎖キャップ、を具備し、前記閉鎖キャップが、ネックにねじ入れるために構成されたネジ部分を備える。
【０００６】
本発明の第一の概念において、閉鎖キャップがネジ部分に着脱可能に接続され、且つアプリケータを取り外している間、ネックにねじ入れて保持できるように構成された、リングを具備し得る。
【０００７】
本発明は、比較的長いステムと塗布要素を足した、見える長さから、ネックの基部にあるリングのため、容器の外観を損ねることなく、利点を得ることを可能にし得る。加えて、リングは比較的容易且つ高価な方法で、容器を充填した後、適所に配置され得る。
【０００８】
アプリケータがビンに配置された時、単一ピースで作られた閉鎖キャップのネジ部分とリングとを、押圧を加える方法で、作ることも可能であり、それは外観に関して好ましい。
【０００９】
用語“ネジ部分”は、少なくとも一つのネジを具備した閉鎖キャップの部分に対応するものとして、広く理解されるべきであり、そのネジを好ましくは、外部キャップ内に固定されたインサートに設けられ得る。その場合、リングはインサートまたは、別のキャップに着脱可能に接続され得る。
【００１０】
リングは任意に、ネジを備え得る。
【００１１】
一実施形態として、リングは、少なくとも一つの第一突出部分を持っており、それはネック上に形成された少なくとも一つの第二突出部分に、リングをスナップ固定できる。この第二突出部分は、例えば環状ビーズを備え、第一突出部分は、環状ビーズまたは、リングの内表面から突出した歯を備え得る。
【００１２】
またリングは、摩擦によってネックにリングを保持するように構成される、少なくとも一つの突出部分も設け得る。
【００１３】
一実施例において、リングはその内表面に複数のスプラインを持ち得る。
【００１４】
リングとネジ部分は、一体型に作られるか、そうではなくてもよい。
【００１５】
ネジ部分が、インサートと外部キャップを備えている時、リングは有利には、ネジ部分と共に、特に外部キャップと共に、プラスチック成形することによって、少なくとも部分的に作られ得る。リングは、破壊可能な複数のブリッジ材料によって、ネジ部分に接続することができる。
【００１６】
リングは、ネジ部分に配置され、それに取り付けられ得、例えばネジ部分とリングは異なる成形体で作られる。一例として、リングは突出部分を設けて、それはネジ部分と互いに嵌り合うように、共働できる。ゆえにリングは、破壊可能な複数のブリッジ材料によって、ネジ部分に接続され得る。
【００１７】
リングとネジ部分が、一体型に作られていない時、それらは摩擦、スナップ固定、溶接或いは貼り付けによって、互いに接続されてもよい。
【００１８】
リングとネジ部分は、別の固定手段によって、互いに接続されてもよい。
【００１９】
突出した少なくとも一つの第一回転防止部分を持ち得、リングは第一回転防止突出部分と共働するように構成された、少なくとも一つの突出した第二回転防止部分とを持ち得、リングをネックに関して回転させないようになっており、閉鎖キャップは、ネジ部分をリングから分離するため、捻って外される。
【００２０】
ビンに形成される第一突出部分が、容器に閉鎖キャップを最初に締める際に、第二突出部分が、第一部分を越えることができるように構成される。第一突出部分と第二部分の少なくとも一つは、傾斜部分を具備してもよく、第一部分と第二部分を互いに越えて容易に動けるようにする。
【００２１】
特にリングがその内表面に複数のスプラインを持っている時、リングは、ネックにリングをクランプ留めすることによって、ネックで回転しないようにし得る。
【００２２】
ネックはその基部に、円筒形の表面または、容器本体に向いて開いた表面を持ち得、それによりクランプ留めする力の度合いで、リングを当接できる。
【００２３】
リングは、装飾してもよい。
【００２４】
容器は、様々な形状で作られてもよく、一実施形態として、ネックの基部に肩部を有し得る。
【００２５】
容器はガラスまたはプラスチックから作られ得る、一実施形態において、透明材料から作られてもよい。
【００２６】
容器の中身は、10mlであるか、それよりも少なく、例えば8mlであるか、それよりも少なく、例えば約7ml〜約5mlの範囲にある。
【００２７】
ステムと塗布要素の見える長さは、例えば25ミリメートルであるか、それよりも大きくてもよい。塗布要素がブラシである時、複数の剛毛の自由部分の見える長さは、例えば12mmであるか、それより大きくてもよい。
【００２８】
一例として、容器は爪に塗る物質、例えば爪のマニキュアを入れてもよい。容器は顔、例えば唇に塗る物質を入れることもできる。その場合、容器は特に、ワイパー部材を具備してもよい。
【００２９】
例えば、皮膚または唇に塗るものであれば、塗布要素をフロック加工してもよい。
【００３０】
ステムの長さは、ネックの高さに実質的に等しく、ステムの長さが例えばネックと高さの30％以内である。
【００３１】
塗布要素の長さは、ネックを接続する容器本体の高さに実質的に等しく、ゆえに塗布要素の長さは、本体の高さの30％以内である。
【００３２】
本発明は、パッケージング及びアプリケータ装置を製造する方法も提供しており、その方法は：
ネジ付ネックを有した容器に、アプリケータをねじ入れることを含み、
アプリケータは、
ステムと、
ステムの第一端部に配置された塗布要素と、
ステムを第一端部とは逆側の第二端部で留める閉鎖キャップと、を備え、前記閉鎖キャップがネックにねじ入れるようの構成されたネジ部分を設けており、閉鎖キャップが基部と、その基部に、ネジ部分に着脱可能に接続されたリングとを具備し、ナックとリングは、使用時にネジ部分を取り外した時、リングをネック上に保持するため、共働するように構成された形状を持つ。
【００３３】
ネックとリングは、例えばスナップ固定または摩擦によって共働し得る。
【００３４】
また本発明は、パッケージング及びアプリケータ装置を製造する方法も提供しており、その方法は：
ネジ付ネックを持ったビンに、塗布要素を留めるネジ付インサートを、ねじ入れること、
外部キャップをインサートに取り付けること、を含んでおり、外部キャップがリングに着脱可能に接続され、インサートをねじって外す時、外部キャップとインサートは、互いにねじ入れたままで、ネックとリングは、インサートをねじって外した時、リングをネックに保持するように構成された形状を成している。
【発明を実施するための最良の形態】
【００３５】
本発明は、本発明を限定しない以下の詳しい記載を読んで、添付図面を考察することにより、更に理解できるであろう。
【実施例】
【００３６】
図１〜図３に示したパッケージング及びアプリケータ装置１が、例えばガラスまたはプラスチック材料から作られた容器２と、例えばブラシのような塗布要素５を底端部に有し且つ、閉鎖キャップ６に頂端で接続される、ステムを具備したアプリケータ３とを備え、そのキャップがネジ部分７と底リング８を備えている。
【００３７】
一例として、ステム４は中空であり、その中にブラシの房が挿入され、剛毛の見える長さｌが、例えば12mmかそれよりも長い。
【００３８】
ステム４は、インサートにより通常の方法で閉鎖キャップ６の内部に固定され得、インサートは任意に、漏れ防止方法で容器を閉じるのに役立つ。
【００３９】
ネジ部分７は、容器２のネック１０にねじ入れるためのもので、ネック１０はネジ１１を供えている。
【００４０】
本発明に関して、アプリケータ３が最初に容器２入れられる時、にリング８は最初にネジ部分７にネジ入れられる。
【００４１】
図６に見られるように、リング８は、プラスチック材料を成形することによって、ネジ部分７と共に単一部品として作られ得、二つの部分は一つまたはそれ以上のブリッジ材料１３によって、互いに接続されている。材料１３の複数のブリッジが、リング８の放射状の外表面１９よりも後方に配置され、キャップの外観を損なうのを避けるようにしている。
【００４２】
例示したリング８は、少なくとも一つの第一突出部分１５、すなわちその放射状のうち表面１６から突出したビーズまたは歯も持っており、容器１２のネック１０が、その基部に少なくとも一つの第二突出部分１８を具備しており、第二部分はリング８を、容器２上における閉鎖キャップ６の最初の嵌め込みの最後で、ネックにスナップ固定できるように配置されている。
【００４３】
閉鎖キャップ６をねじって外す際に、リング８をネジ部分７から分離できるように、少なくとも一つの回転防止突出部分２０が、ネック１０に形成された少なくとも一つの補足的な回転防止突出部分２１と共働するため、リング８の放射状内表面１６上に設けられている。回転防止突出部分２０及び２１は、閉鎖キャップ６を最初に嵌め込む際に、回転防止突出部分２０が突出部分２１を越えることができるように、構成されており、回転防止突出部分２０及び２１は、そのために例えば個別の傾斜部２３及び２４を具備している。傾斜部は、回転防止突出部分２０を補助して、閉鎖キャップのねじ締め方向に、回転防止突出部分２１を越えさせるように傾斜されており、結果的に回転防止突出部分２０及び２１が、逆方向に動かないようにしている。
【００４４】
ユーザーが最初に閉鎖キャップ６をねじって外す時、ネジ部分７がネック１０に永久にとどまって、リング８から分離するようになり、ユーザーにとって、例えば指の爪に対して良好な状態の下で、物質を塗ることができるのに充分なステム４の見える長さｌ´は有利である。
【００４５】
勿論、本発明は上記の実施例に限定されるものではない。様々な変形例が、容器と閉鎖キャップに適用することができる。
【００４６】
例えば、閉鎖キャップは、ネジ部分７とリング８を具備して作ることができ、ネジ部分とリングは、図６に示されたような実質的に軸線方向に延びる代わりに、図７に示したように、実質的に放射状に延びる、複数のブリッジ材料１３によって互いに接続される。
【００４７】
リング８及びネジ部分７は、閉鎖キャップ６が容器２に取り付ける前に、破壊可能なブリッジ材料とは別のもので、互いに接続することもできる。
【００４８】
一例として、図８は別の実施例を示しており、ネジ部分７とリング８は、リング８と互いに嵌め合わさることによって、共働するように配置されており、例えばリング８は、ネジ部分７の底端部に形成された、肩部付のハウジング２４において嵌め合わさるのに適した環状リブ３３を備えている。
【００４９】
別の実施例を、図９〜図１２を参照して以下に記載されており、その辺敬礼では、閉鎖キャップがインサート４０と外部キャップ４１を備えており、そこにインサート４０を固定できる。
【００５０】
インサート４０は、ネック１０にインサートをねじ入れできる内部ネジ４２と、ステム４の頂端部４４をインサート４０に固定できるハウジング４３とを、有している。
【００５１】
インサート４０は、一杯にねじって、容器２を漏れ防止手段で閉じる時、ステムは、ネック１０の端縁部に対して当接するカラー４５を支持する。
【００５２】
外部キャップ４１は、その放射状の内表面に、クランプ留めによって、外部キャップ４１をインサート４０に固定できる、軸線方向のスプライン４８を持っており、二つの部分を互いに動かないようにしている。
【００５３】
記載した例におけるリング８は、外部キャップ４１と一体型に作られており、スパイラルと直線状に配置したブリッジ材料１３によって、ブリッジ材料１３によって、リングは外部キャップに接続されている。
【００５４】
リング８は、その内表面に、スプライン４８と直線状に配置され、且つネック１０の基部に長手部分５６に対して当接するように作用する、軸線方向のスプライン５０を持っており、リング８をそれにより容器２に関して回転するのを防止するため、充分きつくクランプ留めする。
【００５５】
容器２が充填された後、インサート４０及びステム４は、適所に配置されて、図１０のように容器を閉じ、外部キャップ４１とリング８によって構成された組立体は、インサート４０が外部キャップ４１の頂部壁の内側に対して当接して、スプライン４８がインサート４０をきつく押すまで、インサート４０に取り付けることができる。
【００５６】
閉鎖キャップを設けた容器２が、図１１に示されている。使用時に、外部キャップ４１とインサート４０から作られた、ネジ部分７を、ユーザーがねじって外すと、図１２で見られるように、長手部分５６にクランプ留めしたスプライン５０によって、リング８が容器のネック１０に残る。この図面を考察すると、リング８が容器２のネック１０に残るので、リング８の高さｈと同じ分、ステムの見える長さを伸ばすことが可能である。
【００５７】
ネック１０をその基部に、丸い円筒形ではなく、切頭円錐形である表面で作ることは、本発明の範囲内である。一例として、図１３は図１〜図５の実施例の容器２を示しており、その容器はネック１０の基部に切頭円錐形の底部分３２を具備し、ネックの基部は、例えばリング８と容器２との間のクランプ留めの力を増やすことができる。
【００５８】
塗布要素５は、ブラシとは異なるものによって構成することができ、図示の例では、図１４は例えば唇に塗るため、フロック加工された塗布要素を示している。
【００５９】
容器２は、一つかそれ以上の部品を互いに組み合わせて作ることができ、特に図１５のようにワイパー部材６０を具備することができる。この図面では、容器２が容器のネック１０を確定するため取り付けられる一部分６２を有し、且つワイパー部材６０を支持できる本体６１を備えることができ、その部材は、例えば発砲体の軸線方向に割れたブロックによって、構成され得、そのブロックを介して塗布要素を通ることができる。この例において、容器２は、例えば唇に塗るための物質Ｐで充填されてもよい。
【００６０】
閉鎖キャップ６は、図１６〜図１８に見られるように、様々な形状で作られており、その外部分は円形もしくは別の形にでき、特にプリズム形にもできる。
【００６１】
図示の例に関して、図１９は実質的に外側断面が正方形である外部キャップを示している。この外部キャップは、インサートを固定できる内部が丸い円筒形の壁６３により、作られ得、そのインサートは閉鎖キャップのネジとステムも支持している。
【００６２】
請求項を含む記載を通して、用語“備える（comprising a）”は、そうでないと、説明がない限り“少なくとも一つ備える（comprising at least one）”と同意であると理解するべきである。
【図面の簡単な説明】
【００６３】
【図１】本発明に関連して作られたパッケージング及びアプリケータ装置の一例の概略的な立面図。
【図２】閉鎖キャップを最初にねじって外す間の装置を示した図１に類似した図。
【図３】弁から完全に引き出したアプリケータを示した図１に類似した図。
【図４】リングまたは閉鎖キャップの残りの部分を除いて分離した容器を示した図。
【図５】リングを備えて図３の容器の概略的な軸線方向の断面図。
【図６】図１〜図３の装置の閉鎖キャップの概略的且つ部分的な軸線方向の断面図。
【図７】閉鎖キャップの他の実施例を示す概略的且つ部分的な軸線方向の断面図。
【図８】閉鎖キャップの他の実施例を示す概略的且つ部分的な軸線方向の断面図。
【図９】本発明の別の実施例を示す概略的な拡大図。
【図１０】インサートを容器のネックにねじ込んだ後の図９の装置を示した図。
【図１１】外部キャップとリングを適所に置いた後の図１０の装置を示した図。
【図１２】アプリケータを引き出した後の図１１の装置を示した図。
【図１３】容器の他の実施例を分けて示した図。
【図１４】フロック加工された塗布要素を具備したアプリケータ。
【図１５】他の実施例、ワイパー部材を具備した容器を構成する容器の概略的且つ部分的な軸線方向の断面図。
【図１６】本発明のほかの実施例を構成する閉鎖キャップの概略的且つ部分的な立面図。
【図１７】本発明のほかの実施例を構成する閉鎖キャップの概略的且つ部分的な立面図。
【図１８】本発明のほかの実施例を構成する閉鎖キャップの概略的且つ部分的な立面図。
【図１９】非円形の外側断面を有する外部キャップを分けて示した図。
【符号の説明】
【００６４】
１    アプリケータ装置
２    容器
３    アプリケータ
４    ステム
５    塗布要素
６    閉鎖キャップ
７    ネジ部分
８    底リング
１０  ネック
１３  ブリッジ材料
１５  第一突出部分
１６  内表面
１８  第二突出部分
２０  第二回転防止突出部分
２１  第一回転防止突出部分
２３  傾斜部
２４  傾斜部
３２  切頭円錐形の表面（底部分）
４０  インサート
４１  外部キャップ
４２  内部ネジ
４３  ハウジング
４８  スプライン
５０  スプライン
５６  長手部分
６０  ワイパー部材
６１  本体
６２  部分
６３  壁
【図１】
2004237111.tif 000003
【図２】
2004237111.tif 000004
【図３】
2004237111.tif 000005
【図４】
2004237111.tif 000006
【図５】
2004237111.tif 000007
【図６】
2004237111.tif 000008
【図７】
2004237111.tif 000009
【図８】
2004237111.tif 000010
【図９】
2004237111.tif 000011
【図１０】
2004237111.tif 000012
【図１１】
2004237111.tif 000013
【図１２】
2004237111.tif 000014
【図１３】
2004237111.tif 000015
【図１４】
2004237111.tif 000016
【図１５】
2004237111.tif 000017
【図１６】
2004237111.tif 000018
【図１７】
2004237111.tif 000019
【図１８】
2004237111.tif 000020
【図１９】
2004237111.tif 000021